(57)【要約】【課題】マニキュア時に、乾くまでの間指を保護し、塗り直しや指を使えないために生じるストレスを解消する指保護具を提供する。【解決手段】マニキュアをする前に指にホールダーを付け、マニキュアが済んだら指カバーをつけて、塗り直しやストレスを解消する爪保護器具。【選択図】図１
2006297042.tif 000002
【特許請求の範囲】
【請求項１】
任意指の第一関節と第二関節間に固定する固定部と、固定部から指下に配置され、指先まで延びたガイド片からなるガイド体と、ガイド体先端からガイド体に沿って爪に接触しないように移動し爪上部を覆うカバー体とよりなるマニキュア保護具。
【請求項２】
固定部に指の大きさに合わせて調整するサイズ調整機構を備えたことを特徴とする請求項１記載のマニキュア保護具。
【請求項３】
カバー体に指の大きさに合わせて調整するカバー体サイズ調整機構を備えたことを特徴とする請求項１又は２記載のマニキュア保護具。
【請求項４】
カバー体がマニキュアの模様や状態を確認することのできる透明あるいは半透明の素材を利用した可視手段を具備することを特徴とする請求項１、２又は３記載のマニキュア保護具。
【発明の詳細な説明】
【技術分野】
【０００１】本発明は、マニキュア使用時、爪が乾くまでの間カバーをする事によって爪を保護するものである。
【背景技術】
【０００２】従来、マニキュアをする時は、乾くまでの間に指が物に接触して、やり直す事が多い。
そしてそれを防ぐために速乾のマニキュアや乾燥機などを使用していた。
【発明の開示】
【発明が解決しようとする課題】
【０００３】そのために、次のような問題点があった。マニキュアが乾くまで指を自由に使う事が出来ず、ささいな接触などでやり直しをしていた。又、カラーのマニキュアやファッション的なデザインをあきらめて、透明のマニキュアにしたりしていた。本発明は以上の問題点を解決しようとするものである。
【課題を解決するための手段】
【０００４】任意指の第一関節と第二間接間に固定する固定部と、固定部から指下に配置され、指先まで延びたガイド片からなるガイド体と、ガイド体先端からガイド体に沿って爪に接触しないように移動し爪上部を覆うカバー体とよりなるマニキュア保護具。
【発明の効果】
【０００５】本発明は、マニキュア乾燥までの指を使えない状態をなくし、軽い作業を行う事を可能にした。ガイド体を利用することで爪に触れることなくカバーを装着できる。ガイドサイズ調整機構とカバーサイズ調整機構を備える事により、指の大小にかかわらず使用が可能になった。
透明あるいは半透明の素材を利用することで、同様の模様を施したり、色を一致させたり、乾き具合を確認することができる。
【発明を実施するための最良の形態】
【０００６】以下、本発明の第一実施の形態について説明する。
本発明は図１に示すようにガイド部材１とカバー体２とより構成される。
ガイド部材１は、固定部３とガイド体４により構成される。固定部３はプラスチック、金属などの可撓性を有し、指のサイズに対応して撓む素材よりなり、下面が平面となっており、その両側端から指に沿って湾曲した一対の側部材が一体となって構成されている。固定部３の大きさおよび形状は、指の第一関節と第二関節の間に固定できる大きさのものである。
図においてガイド体４は固定部３に一体に設けられたもので、指先方向へ延設されたものであり、図２及び図３に示すように平板状となっている。カバー体２は、下面が平面となり、これに略半筒状の上部材が一体に設けられたものであり、指が挿入できる大きさであり、少なくとも爪に接触しない高さを有するものである。
本発明は以上の構造よりなっている。
これを使用するときは、図４に示すように、ガイド部材１の固定部３を指先から通し、指の第一関節と第二関節の間に固定する。この際、ガイド体４は指下に配置されるようにし、この状態でマニキュアを塗る。
次に、カバー体２の下面を指下とガイド体４の間を通すように指先から奥に差し込み、爪上をカバーする位置で止める。この装着の際、ガイド体４がカバー体２を上方に押し上げる役割を果たすため、爪に触れることなくカバー体２を装着することができる。【０００７】以下、本発明の第二実施の形態を説明する。
本発明は図５に示すようにガイド部材１とカバー体２とより構成される。
ガイド部材１は、固定部３とガイド体４により構成される。固定部３はプラスチック、金属などの素材よりなり、下面が平面となったリング形状よりなり、指の第一関節と第二関節の間に固定できる大きさのものである。図においてガイド体４は固定部３に一体に設けられたもので、指先方向へ延設されたものであり、図５に示すように平板状となっている。
カバー体２は、下面の中央に指のサイズに合わせて撓むようにスリットが入っており、これに略半円筒上に上部材が一体に設けられ、指が挿入できる大きさで、少なくとも爪に接触しない高さを有するものである。
本発明は以上の構造よりなっている。
これを使用するときは、前記事例と同様に、ガイド部材１の固定部３を指先から通し、指の第一関節と第二関節の間に固定する。この際、ガイド体４は指下に配置されるようにする。
次に、カバー体２の下面を指下とガイド体４の間を通すように指先から奥に差し込み、爪上をカバーする位置で止める。この装着の際、ガイド体４がカバー体２を上方に押し上げる役割を果たすため、爪に触れることなくカバー体２を装着することができる。
又カバー体２のスリットにより指幅に合わせて開き、締め付けを緩和する。【０００８】以下、本発明の第三実施の形態を説明する。
本発明はガイド部材１とカバー体２とより構成される。
ガイド部材１は、図８に示すように固定部３とガイド体４により構成される。
固定部は左右に設けられたベルト体５よりなり、ガイド体４に取り付けられている。
各々のベルト体先端の接面する位置にサイズ調整できるように面ファスナーが設けられている。
カバー体２は、前記各事例のものが利用される。
本発明は、以上の構成よりなっている。
本発明におけるガイド部材１の固定は、図９に示す手順によりベルト体を第一関節と第二関節間への巻きつけで行う。
尚、上記各実施の形態において、カバー体を透明な素材にすることで色や模様がわかるので、各指を同様に塗ることができる。また、半透明にすることでも、同様の模様を施すことが可能となる。
【図面の簡単な説明】
【０００９】
【図１】本発明の第一実施の分解斜視図
【図２】ガイド体側面図
【図３】ガイド体の正面図
【図４】本発明の第一実施の装着図
【図５】本発明の第二実施の分解斜視図
【図６】本発明の第二実施のカバー体の下面図
【図７】本発明の第二実施のカバー体装着時正面図
【図８】本発明の第三実施のガイド部材を示す斜視図
【図９】本発明の使用説明図
【符号の説明】
【００１０】１  ガイド部材
２  カバー体
３  固定部
４  ガイド体
５  スリット
６  面ファスナー
７  ベルト体
【図１】
2006297042.tif 000003
【図２】
2006297042.tif 000004
【図３】
2006297042.tif 000005
【図４】
2006297042.tif 000006
【図５】
2006297042.tif 000007
【図６】
2006297042.tif 000008
【図７】
2006297042.tif 000009
【図８】
2006297042.tif 000010
【図９】
2006297042.tif 000011